(57)【要約】  本発明は、印刷機（２）を備えた印刷構造体（１）、印刷媒体（３）に印刷を行う方法および印刷媒体（３）に関する。特に車両におけるデジタル式タコグラフの印刷機（２）を操作する際に、所望の印刷内容の特定の入力は、ユーザガイドの深いメニュー構造に基づいて、通常時間がかかり、かつエラーの生じやすいものである。本発明の構成によれば、印刷媒体３が、判型のみならず、付加的な構造体２１を有しており、印刷機２の印刷ユニット１２が、付加構造体２１の構成に応じて、特定の印刷内容を印刷媒体３に出力する。このようにして使用者は、有利にはセグメント形式で供給される印刷媒体３の選択と同時に、同時に所望の印刷内容を特定する。
2007535734.tif 000002
【特許請求の範囲】
【請求項１】
特に自動車におけるデジタル式タコグラフのための、印刷機を備えた印刷構造体であって、
印刷媒体に印刷を行うための印刷ユニットが設けられている形式のものにおいて、
印刷媒体（３）が、判型を有しているだけでなく、付加構造体（２１）を有しており、印刷ユニット（１２）が、付加構造体（２１）の構成に応じて、特定の印刷内容を印刷媒体（３）に出力するようになっていることを特徴とする、印刷機を備えた印刷構造体。
【請求項２】
印刷機（２）が、少なくとも１つのセンサ（７）を備えており、該センサ（７）によって、付加構造体（２１）が検出可能であり、センサ（７）が、付加構造体（２１）の構成を制御ユニット（９）に通知するようになっており、該制御ユニット（９）が、付加構造体（２１）の構成に、特定の印刷内容を割り当てるようになっており、印刷ユニット（１２）が、該印刷内容を印刷媒体（３）に印刷するようになっている、請求項１記載の装置。
【請求項３】
印刷ユニット（１２）が、制御ユニット（９）と接続されており、該制御ユニット（９）によって、印刷過程が制御可能になっており、制御ユニット（９）が、付加構造体（２１）に、特定の印刷内容を割り当てるようになっており、印刷ユニット（１２）が、該印刷内容を印刷媒体（３）に出力するようになっている、請求項１記載の装置。
【請求項４】
印刷機（２）が、挿入開口（４）と、印刷媒体（３）を搬送するための、双方向で運転可能な搬送駆動装置（１０）とを備えており、該搬送駆動装置（１０）が、操作制御されて、印刷媒体（３）が挿入されると導入方向（５）で搬送が開始されるようになっている、請求項１記載の装置。
【請求項５】
印刷ユニット（１２）が、導入方向（５）で搬送する間または導出方向（１５）で搬送する間に、印刷媒体（３）に印刷を行うようになっている、請求項４記載の装置。
【請求項６】
印刷機（２）、特に請求項１記載のデジタル式タコグラフの印刷機を用いて、印刷媒体（３）に印刷を行う方法において、
印刷ユニット（１２）が、印刷媒体（３）に印刷を行い、印刷媒体（３）が、判型を有するだけでなく、付加的な構造体（２１）を有するようにし、印刷ユニット（１２）が、付加構造体（２１）の構成に応じて、特定の印刷内容を印刷媒体（３）に出力することを特徴とする、印刷機を用いて印刷媒体に印刷を行う方法。
【請求項７】
制御ユニット（９）を用いて印刷ユニット（１２）を制御する、請求項５記載の方法。
【請求項８】
センサ（７）が、付加構造体（２１）を検出して、制御ユニット（９）に通知し、制御ユニット（９）が、印刷内容を、付加構造体（２１）に応じて印刷過程に割り当てて、印刷ユニット（１２）を適当に制御する、請求項６記載の方法。
【請求項９】
印刷機（２）が、挿入開口（４）を備えるようにし、印刷媒体（３）を、印刷を行うために、挿入開口（４）に挿入する、請求項６記載の方法。
【請求項１０】
印刷機（２）が、搬送装置（１０）を備えるようにし、搬送装置（１０）を用いて、印刷媒体（３）を挿入開口（４）に挿入したあとで、搬入および搬出を行う、請求項９記載の方法。
【請求項１１】
印刷機（２）を待機状態にして、印刷媒体（３）を挿入して、印刷機（２）を運転状態にする、請求項８記載の方法。
【請求項１２】
印刷媒体（３）を、印刷機（２）にセグメント形式で供給し、各セグメントを供給して搬送および印刷過程を行い、印刷済みのセグメントの搬出で、搬送および印刷過程を終了する、請求項６記載の方法。
【請求項１３】
特に自動車におけるデジタル式タコグラフのための印刷媒体において、
該印刷媒体が、判型を有しているだけでなく、付加的な構造体（２１）を有しており、付加構造体（２１）の構成が、印刷機（２）によって検出可能になっており、印刷機（２）の印刷ユニット（１２）が、付加構造体（２１）の構成に応じて、特定の印刷内容を印刷媒体（３）に出力するようになっていることを特徴とする、印刷媒体。
【請求項１４】
付加構造体（２１）が、インキ、縁部輪郭またはマークである、請求項１３記載の印刷媒体。
【請求項１５】
印刷媒体（３）が、ペーパーストリップである、請求項１３記載の印刷媒体。
【請求項１６】
ペーパーストリップが、少なくとも１つの折り目を有している、請求項１３記載の印刷媒体。
【請求項１７】
印刷媒体が、印刷内容の対応関係を表す、人間によって読取可能なマークまたは記号を備えている、請求項１３記載の印刷媒体。
【請求項１８】
印刷媒体が、レイアウトを有しており、印刷およびレイアウトが、互いに補足し合うようになっている、請求項１３記載の印刷媒体。
【発明の詳細な説明】
【技術分野】
【０００１】
本発明は、特に自動車におけるデジタル式タコグラフのための印刷機を備えた印刷構造体であって、印刷媒体に印刷を行うための印刷ユニットが設けられている形式のものに関する。また特にデジタル式タコグラフの印刷機を用いて印刷媒体に印刷を行う方法も本発明の対象である。さらに本発明は、特に自動車におけるデジタル式タコグラフのための印刷媒体を対象としている。
【０００２】
このような形式の印刷装置は、多くの場合、たとえばシステム状態またはパラメータ状況に関する特定のレポートを出力するために利用される。このような形式の印刷装置は、既に欧州特許第０９１８２２２号明細書から公知である。特にデジタル式タコグラフでは、要求に応じて、印刷過程によって、様々な形式のレポートもしくは情報編成を印刷媒体（これは原則的にロールに巻き取られた紙ストックの一部である）に出力することができる。このような形式の情報編成を印刷内容として要求するために、常に要求を正確に特定することが必要であり、このことは多くの場合メニューガイド式の問い合わせ手順で行われる。特にデジタル式タコグラフに関して、冒頭で述べた対象の利用範囲内で、所望の印刷内容のメニューガイド式の特定は、面倒なものであり、しかもエラーの生じやすい手順である。なぜならば自動車運転席領域における、極めて制限された空間状態によって、小さな操作ユニットしか許容されないからである。したがって操作エレメント数が不足した状況では、必要とされる多様な機能を保証するために、特に深いメニュー構造が選択され、これによって印刷内容の所望の情報編成の選択は、追加的に時間のかかるものである。さらにユーザーガイドの表示は、多くの場合頭文字によってしか助成されず、したがって装置を正確に取り扱うために、取扱説明書の包括的な講読が必要であり、このことによって使用者は不当な我慢を強いられる。従来技術の問題点および欠点から出発して、本発明の課題は、特に自動車におけるデジタル式タコグラフのための印刷機の操作を簡単にすることである。
【０００３】
この課題を解決するために、本発明によれば、冒頭で述べた形式の印刷構造体において、印刷媒体が、判型を有しているだけでなく、付加的な構造体を有しており、印刷ユニットが、付加構造体の構成に応じて、特定の印刷内容を印刷媒体に出力するようになっている。
【０００４】
このような配置構造とは別に、前述の課題を解決するために、本発明によれば、特に前述の構成を有するデジタル式タコグラフの印刷機で実施可能である、冒頭で述べた形式の印刷方法において、印刷ユニットが、印刷媒体に印刷を行い、印刷媒体が、判型を有するだけでなく、付加的な構造体を有するようにし、印刷ユニットが、付加構造体の構成に応じて、特定の印刷内容を印刷媒体に出力する。
【０００５】
さらに前述の課題を解決するために、本発明によれば、印刷媒体において、印刷媒体が、判型を有しているだけでなく、付加的な構造体を有しており、付加構造体の構成が、印刷機によって認識可能になっており、印刷機の印刷ユニットが、付加構造体の構成に応じて、特定の印刷内容を印刷媒体に出力するようになっている。
【０００６】
本発明の顕著な利点によれば、印刷媒体の付加的な構造体によって、所望の情報編成の特定に関する面倒な入力を行わずに、印刷機に、どのような形式の印刷内容が所望されているのか通知される。付加構造体は、特に印刷媒体の着色、もしくは場合によっては印刷媒体の特定箇所にしか設けられない特別なパターンであってよく、また特定の外側輪郭であってもよく、たとえばペーパーストリップとして形成された印刷媒体の、挿入方向で先頭の縁部は、特別な輪郭を有することができる。輪郭を構造化する場合、原則として、印刷媒体としての適合性を不都合に制限しない、たとえば特定数のジグザグ形部分または丸み付けされた舌片部分である、幾何学的なあらゆる構成が考えられる。原則として、特に印刷媒体が紙である場合、特定の浮出しも考えられる。本発明による印刷構造体の有利な実施形態によれば、印刷機が、少なくとも１つのセンサを備えており、センサによって、付加構造体が検出可能であり、センサは、付加構造体の構成を制御ユニットに通知し、制御ユニットは、付加構造体の構成に、特定の印刷内容を割り当て、印刷ユニットは、特定の印刷内容を印刷媒体に印刷する。制御ユニットが印刷内容に対する付加構造体の割り当てを行うことによって、付加構造体は、特に簡単に形成することができ、しかも印刷内容に何が分類されるかについての完全な情報を有してなくてよい。このために制御装置は、内部メモリを備えており、内部メモリに、特定の印刷内容に対する様々な付加構造体の対応関係が格納されている。このようにして付加構造体は、たとえば簡単な記号であってよく、記号に、制御装置のメモリ内の対応関係によって、複雑な印刷内容が割り当てられている。
【０００７】
有利には、付加構造体は、印刷機のセンサによって検出され、センサは、特に光学センサとして形成されている。このことによって、付加構造体の摩耗のない確実な検出が保証される。
【０００８】
印刷機が外側から印刷媒体の挿入できる挿入開口を備えていると、本発明の利点が顕著に得られる。なぜならば特に小判の構成では、デジタル式タコグラフに関して、内部紙貯蔵部は不要となり、使用者は、どのような形式の印刷が所望されるかに応じて、簡単に、選択された付加構造体を有する印刷媒体を挿入開口に挿入し、このようにして所望の印刷出力が行われるからである。この場合有利には、印刷機は、印刷媒体を搬送するための、双方向で運転可能な搬送駆動装置を備えることができ、搬送駆動装置は、印刷媒体が導入される際に導入方向で搬送が開始されるように、操作制御される。一方では、そのような過程によって、使用者に、操作される機器が極めて高い利用価値を有しているという印象を与え、また他方では、再現可能で正確な搬送速度および時間に正確な印刷媒体の位置決めを保証することができる。このようにすることによって、導入方向で搬送する間または導出方向で搬送する間に印刷ユニットが印刷媒体に印刷を行う場合に、本発明にとってさらに有利な構成が得られる。
【０００９】
印刷機が、待機状態にあり、印刷媒体の導入によってはじめて運転状態に切り換えられる場合、最低限の消費エネルギと同時に特に快適な操作性が達成される。この場合有利には、挿入開口の領域に配置されたセンサが印刷媒体の存在を検出して、制御ユニットに通知して、機器を運転状態に切り換えることができる。
【００１０】
印刷媒体は、有利には、ペーパーストリップとして形成されていて、かつ適当な長さで単数または複数の折り目を有することができる。有利には、印刷媒体は、セグメント形式で形成されており、この場合各セグメントは、それぞれ正確に１回の印刷過程のために設定されたものとなっている。付加構造体は、機械で読取可能であり、特にセンサを用いて検出できるように形成することができる。また付加構造体を人間によって読取可能に形成するか、または印刷媒体に、使用時に、所望の印刷内容の付加記号を設けると、有利である。したがって付加構造体は、機械で読取可能な、または機械および人間によって読取可能なマークまたは記号から成っていてよい。
【００１１】
印刷済みの印刷媒体の利用価値を高めるために、印刷媒体にレイアウトを設けることができるので、印刷およびレイアウトは補完し合うようになる。この場合補完は、特に人間による読取によって助成するのが望ましいが、機械による読取で簡素化することもできる。付加構造体は、レイアウトの取付であってもよい。
【００１２】
以下に、本発明の理解を深めるための独自の実施例につき、本発明を詳しく説明する。記載の実施例以外にも、当業者によって、本発明の説明から多数の別の実施例が実現される。特に本発明では、たとえ適当な引用事項をはっきりと記載していなくても、請求項の組み合わせから、個々の特徴の組み合わせが考慮できるものとする。
【００１３】
次に図面につき本発明の実施例を詳しく説明する。
【００１４】
図１には、印刷機２と印刷媒体３とを備えた本発明による印刷構造体１を示した。印刷機２は、挿入開口４を備えており、挿入開口４に、印刷媒体３は、導入方向５に沿って挿入可能である。印刷媒体３は、鎖線で示した延長部６にしたがって、長さに応じて折り畳んで形成することができるので、比較的長い印刷が可能であり、しかも使用者は、印刷媒体３を扱いやすい判型で保管することができる。
【００１５】
印刷機２の挿入開口４の領域にセンサ７が設けられており、センサ７は、挿入開口４領域における印刷媒体３の存在を検出して、共通のプリント基板８上に配置された制御ユニット９に通知する。センサ７を用いて印刷媒体３の存在を検出することによって、印刷機２は、待機状態（スタンバイ）から運転状態に切り換えられ、制御ユニット９は、ステップモータ１１を備えた搬送駆動装置１０に信号を伝達して、これによって印刷媒体３は導入方向５で搬送される。同時に、印刷機２の、共通のプリント基板８上に配置された印刷ユニット１２は、印刷媒体に印刷を行う。印刷媒体３の長さに応じて、内蔵された貯蔵室１３への搬送が行われる。選択的に、印刷機２に印刷媒体３を後続搬送するために、挿入開口４の延長部に通路１４（波線で示した）を設けることもできる。印刷過程が終了したあとで、搬送駆動装置１０は、印刷済みの印刷媒体３を、導入方向５とは逆向きに導出方向１５で搬送するので、使用者は、搬出された印刷済みの印刷媒体３を取り出すことができる。
【００１６】
この場合印刷媒体３は、図２に示した付加的な構造体２１を備えており、付加構造体２１の形式はセンサ７によって検出され、センサ７は、付加構造体２１の構成を制御ユニット９に通知する。制御ユニット９は、付加構造体２１の形式に応じて、印刷媒体３に出力しようとする印刷内容を編成して、印刷ユニット１２を適当に操作制御する。このために制御ユニット９は、内蔵メモリに、印刷内容に関する付加構造体２１の構成の対応関係を有している。
【００１７】
図２には、紙製の印刷媒体３の様々な実施例ａ〜ｆを示しており、ここでは実施例ａ，ｂ，ｃは、カラーまたは黒のマーク２２の構成をした付加構造体２１を備えている。紙製の印刷媒体３の実施例ｄ，ｅ，ｆは、導入方向５で先行する縁部２５の領域において、切欠２４の構成をした付加構造体２１を備えている。
【００１８】
付加構造体２１の構成に応じて、図２には、マーク２２および切欠２４に関して、センサ７の有利な配置構造２０，２６を示した。
【００１９】
図３には、本発明による印刷機２の様々な構成素子の基本編成を示した。電源３１は、制御ユニット９、表示−インタフェイス３１、操作フィールド−インタフェイス３２、印刷ユニット−ドライバ３４、搬送駆動装置１０のステップモータ１１の印刷モータ−ドライバ３５、ならびにセンサ７のためのペーパー−センサ−インタフェイス３５と接続されていて、かつこれらの構成素子に運転エネルギを供給する。その他に電源は、機器−搭載電源−インタフェイス３８および通信−インタフェイス３９と接続されており、これらの構成素子もまた制御ユニット９と通信されている。印刷媒体３の挿入によって、センサ７は、印刷媒体の存在を記録して、ペーパー−センサ−インタフェイス３５は、制御ユニット９に検出を通知し、制御ユニット９は、待機状態から運転状態に切り換えられ、また制御ユニット９は、搬送ユニット−ドライバ３４によって、搬送駆動装置１０のステップモータ１１を指示して、導入向５で印刷媒体３を搬送させる。同時に制御ユニット９は、印刷ユニット−ドライバ３３によって、印刷ユニット１２を調整して、印刷媒体３の付加構造体２１によって設定された編成において印刷内容の出力を調整する。このような過程は、制御ユニット９によって調整されて、表示装置４０で使用者に表示され、この場合使用者は、操作エレメント４１を用いて印刷過程に影響を及ぼすことができる。
【図面の簡単な説明】
【００２０】
【図１】本発明による印刷媒体を備えた、本発明による印刷機を概略的に示す断面図である。
【図２】本発明による印刷媒体を概略的に示す平面図である。
【図３】本発明による印刷機の構造を概略的に示す線図である。
【図１】
2007535734.tif 000003
【図２】
2007535734.tif 000004
【図３】
2007535734.tif 000005
【手続補正書】
【提出日】平成17年7月14日(2005.7.14)
【手続補正１】
【補正対象書類名】特許請求の範囲
【補正対象項目名】請求項１
【補正方法】変更
【補正の内容】
【請求項１】
印刷機を備えた印刷構造体であって、
印刷媒体に印刷を行うための印刷ユニットが設けられている形式のものにおいて、
印刷機が、自動車におけるデジタル式タコグラフの構成部材であって、
印刷媒体（３）が、判型を有しているだけでなく、付加構造体（２１）を有しており、印刷ユニット（１２）が、付加構造体（２１）の構成に応じて、特定の印刷内容を印刷媒体（３）に出力するようになっていることを特徴とする、印刷機を備えた印刷構造体。
【手続補正２】
【補正対象書類名】特許請求の範囲
【補正対象項目名】請求項６
【補正方法】変更
【補正の内容】
【請求項６】
自動車におけるデジタル式タコグラフの印刷機（２）を用いて、印刷媒体（３）に印刷を行う方法において、
印刷ユニット（１２）が、印刷媒体（３）に印刷を行い、印刷媒体（３）が、判型を有するだけでなく、付加的な構造体（２１）を有するようにし、印刷ユニット（１２）が、付加構造体（２１）の構成に応じて、特定の印刷内容を印刷媒体（３）に出力することを特徴とする、印刷機を用いて印刷媒体に印刷を行う方法。
【手続補正３】
【補正対象書類名】特許請求の範囲
【補正対象項目名】請求項１３
【補正方法】変更
【補正の内容】
【請求項１３】
印刷媒体において、
印刷媒体が、自動車におけるデジタル式タコグラフのために使用可能になっており、
印刷媒体が、判型を有しているだけでなく、付加的な構造体（２１）を有しており、付加構造体（２１）の構成が、印刷機（２）によって検出可能になっており、印刷機（２）の印刷ユニット（１２）が、付加構造体（２１）の構成に応じて、特定の印刷内容を印刷媒体（３）に出力するようになっていることを特徴とする、印刷媒体。
【国際調査報告】
2007535734.tif 000006
2007535734.tif 000007
2007535734.tif 000008
2007535734.tif 000009
2007535734.tif 000010
2007535734.tif 000011